(57)【要約】【課題】  機器内に設けられた内蔵メモリの容量に制限されることなく、着脱自在のデモ用メモリカードを用いて所望のデモンストレーションが可能であり、デモ用メモリカード管理システムに用いることができる画像入出力機器を提供する。【解決手段】  画像を入出力する画像入出力機器であって、外部からの信号に基づいて、画像以外の情報の書き込みおよび呼び出しが可能な情報記録手段が設けられ且つデモンストレーションモードで使用されるデモ用メモリカードが装着可能であり、画像入出力機器に装着された前記デモ用メモリカードに画像データが記録されるデモンストレーションモードを有することを特徴とする画像入出力機器。【選択図】        図４
2006339758.tif 000002
【特許請求の範囲】
【請求項１】
画像を入出力する画像入出力機器であって、
外部からの信号に基づいて、画像以外の情報の書き込みおよび呼び出しが可能な情報記録手段が設けられ且つデモンストレーションモードで使用されるデモ用メモリカードが装着可能であり、
画像入出力機器に装着された前記デモ用メモリカードに画像データが記録されるデモンストレーションモードを有することを特徴とする画像入出力機器。
【請求項２】
前記情報記録手段はＩＣタグであることを特徴とする請求項１に記載の画像入出力機器。
【請求項３】
前記情報記録手段が、外部と非接触状態で通信を行う非接触通信の手段を有することを特徴とする請求項１または２に記載の画像入出力機器。
【請求項４】
前記デモ用メモリカードは前記情報記録手段により識別されることを特徴とする請求項１、２または３に記載の画像入出力機器。
【請求項５】
前記デモ用メモリカードには、デモンストレーションモードを実行するデモプログラムの少なくとも１部が内蔵されていることを特徴とする請求項１から４のいずれか１項に記載の画像入出力機器。
【請求項６】
前記デモ用メモリカードに内蔵されている前記デモプログラムはプロテクト処理がなされていることを特徴とする請求項５に記載の画像入出力機器。
【請求項７】
通常の撮影を行う通常モードにおいて動画撮影機能を有し、且つデモンストレーションモードおいて、前記動画撮影機能のデモンストレーションが可能であることを特徴とする請求項１から６のいずれか１項に記載の画像入出力機器。
【請求項８】
前記デモンストレーションモードが設定されている状態で、電源がオフされると、前記デモ用メモリカードに記録されている画像データは自動一括削除されることを特徴とする請求項１から７のいずれか１項に記載の画像入出力機器。
【請求項９】
前記デモ用メモリカードの画像入出力機器への装着に応じて、デモンストレーションモードに遷移することを特徴とする請求項１から８のいずれか１項に記載の画像入出力機器。
【請求項１０】
外部からの信号に基づいて、画像以外の情報の書き込みおよび呼び出しが可能な情報記録手段が設けられ、画像入出力機器に装着可能であり、デモンストレーションモードで使用され、該デモンストレーションモード時に画像データが記録されるデモ用メモリカードと、
デモ用メモリカードに設けられた情報記録手段の情報と送受信可能なリードライトを備えた管理機器と、
を有し、前記デモ用メモリカードの所定場所内における現在位置の検知を行うことを特徴とするデモ用メモリカード管理システム。
【請求項１１】
デモ用メモリカードの現在位置が検知できないときは、現在位置が検知できないことの報知を行うことを特徴とする請求項１０に記載のデモ用メモリカード管理システム。
【請求項１２】
画像入出力機器を展示販売する店頭で適用されることを特徴とする請求項１０または１１に記載のデモ用メモリカード管理システム。
【請求項１３】
画像入出力機器に用いられ且つ装着可能で、外部からの信号に基づいて、画像以外の情報の書き込みおよび呼び出しが可能な情報記録手段が設けられ、少なくともデモンストレーションモード時の画像データが記録されることを特徴とするデモ用メモリカード。
【請求項１４】
デモンストレーションモードを制御するデモプログラムを有することを特徴とする請求項１３に記載のデモ用メモリカード。
【請求項１５】
前記デモプログラムは複数の画像入出力機器のプログラムを有することを特徴とする請求項１４に記載のデモ用メモリカード。
【発明の詳細な説明】
【技術分野】
【０００１】
本発明は、画像入出力機器、デモ用メモリカード管理システムおよびデモ用メモリカードに関する。
【背景技術】
【０００２】
画像の入出力が可能な画像入出力機器として、着脱可能な記録媒体であるメモリカードを有し、このメモリカードに画像データを記録する画像入出力機器が一般に知られている。また、この画像入出力機器において、デモンストレーションモード（デモモードともいう）の機能を有して展示販売の店頭等で試用可能なものが知られている。デモモードにおいては、メモリカードを用いずに、画像入出力機器内に設けられた内蔵メモリにデモモード時の画像データを記録するようになっている（特許文献１参照）。
【特許文献１】特開２００３−２７４２３６号公報
【発明の開示】
【発明が解決しようとする課題】
【０００３】
しかしながら、前述の背景技術では、デモモード時に内蔵メモリに、画像データを記録しているが、内蔵メモリは一般にメモリ容量が限られており、従って、画像入出力機器の各種機能の内の限られた機能しか試用できなかった。また、店頭内でメモリカードを使用すると紛失しやすく、また盗難にあいやすいという問題があった。
【０００４】
本発明は上記の問題点を解消するためになされたもので、本発明の目的は、所望の機能の試用が可能となる画像入出力機器、デモ用メモリカード管理システムおよびデモ用メモリカードを提供することにある。
【課題を解決するための手段】
【０００５】
本発明の目的は下記の手段により達成される。即ち、
（請求項１）画像を入出力する画像入出力機器であって、外部からの信号に基づいて、画像以外の情報の書き込みおよび呼び出しが可能な情報記録手段が設けられ且つデモンストレーションモードで使用されるデモ用メモリカードが装着可能であり、画像入出力機器に装着された前記デモ用メモリカードに画像データが記録されるデモンストレーションモードを有することを特徴とする画像入出力機器。
（請求項２）前記情報記録手段はＩＣタグであることを特徴とする請求項１に記載の画像入出力機器。
（請求項３）前記情報記録手段が、外部と非接触状態で通信を行う非接触通信の手段を有することを特徴とする請求項１または２に記載の画像入出力機器。
（請求項４）前記デモ用メモリカードは前記情報記録手段により識別されることを特徴とする請求項１、２または３に記載の画像入出力機器。
（請求項５）前記デモ用メモリカードには、デモンストレーションモードを実行するデモプログラムの少なくとも１部が内蔵されていることを特徴とする請求項１から４のいずれか１項に記載の画像入出力機器。
（請求項６）前記デモ用メモリカードに内蔵されている前記デモプログラムはプロテクト処理がなされていることを特徴とする請求項５に記載の画像入出力機器。
（請求項７）通常の撮影を行う通常モードにおいて動画撮影機能を有し、且つデモンストレーションモードおいて、前記動画撮影機能のデモンストレーションが可能であることを特徴とする請求項１から６のいずれか１項に記載の画像入出力機器。
（請求項８）前記デモンストレーションモードが設定されている状態で、電源がオフされると、前記デモ用メモリカードに記録されている画像データは自動一括削除されることを特徴とする請求項１から７のいずれか１項に記載の画像入出力機器。
（請求項９）前記デモ用メモリカードの画像入出力機器への装着に応じて、デモンストレーションモードに遷移することを特徴とする請求項１から８のいずれか１項に記載の画像入出力機器。
（請求項１０）外部からの信号に基づいて、画像以外の情報の書き込みおよび呼び出しが可能な情報記録手段が設けられ、画像入出力機器に装着可能であり、デモンストレーションモードで使用され、該デモンストレーションモード時に画像データが記録されるデモ用メモリカードと、デモ用メモリカードに設けられた情報記録手段の情報と送受信可能なリードライトを備えた管理機器と、を有し、前記デモ用メモリカードの所定場所内における現在位置の検知を行うことを特徴とするデモ用メモリカード管理システム。
（請求項１１）デモ用メモリカードの現在位置が検知できないときは、現在位置が検知できないことの報知を行うことを特徴とする請求項１０に記載のデモ用メモリカード管理システム。
（請求項１２）画像入出力機器を展示販売する店頭で適用されることを特徴とする請求項１０または１１に記載のデモ用メモリカード管理システム。
（請求項１３）画像入出力機器に用いられ且つ装着可能で、外部からの信号に基づいて、画像以外の情報の書き込みおよび呼び出しが可能な情報記録手段が設けられ、少なくともデモンストレーションモード時の画像データが記録されることを特徴とするデモ用メモリカード。
（請求項１４）デモンストレーションモードを制御するデモプログラムを有することを特徴とする請求項１３に記載のデモ用メモリカード。
（請求項１５）前記デモプログラムは複数の画像入出力機器のプログラムを有することを特徴とする請求項１４に記載のデモ用メモリカード。
【発明の効果】
【０００６】
下記のような効果を奏するようになる。
【０００７】
請求項１に記載の発明によれば、画像入出力機器内の内蔵メモリは一般に記憶容量に制限され、限られたデモンストレーションしかできなかったが、内蔵メモリに比べ記憶容量が大きくできる着脱自在のデモ用メモリカードにデモンストレーション時の画像データを記録するので、例えば、記憶容量の大きいデモ用メモリカードを用いることにより、記憶容量を多く必要とする動画の撮影が可能となり、また、デモ用メモリカードに設けられた情報記録手段であるＩＣタグにより、デモ用メモリカードを管理可能となった。
【０００８】
請求項２に記載の発明によれば、情報記録手段としてＩＣタグが使用可能になった。
【０００９】
請求項３に記載の発明によれば、情報記録手段であるＩＣタグにより外部と非接触状態で通信可能となった。
【００１０】
請求項４に記載の発明によれば、デモ用メモリカードは情報記録手段により識別されるようになった。
【００１１】
請求項５に記載の発明によれば、デモ用メモリカード内にデモプログラムを設けるので、機器内の記憶容量を少なくでき、またデモプログラム変更等が容易にできるようになった。
【００１２】
請求項６に記載の発明によれば、デモプログラムが不用意に消されることがなくなった。
【００１３】
請求項７に記載の発明によれば、デモモードにおいて動画撮影の使用が可能となった。
【００１４】
請求項８に記載の発明によれば、デモモードでの画像データの消去が簡易となった。
【００１５】
請求項９に記載の発明によれば、通常モードよりデモンストレーションモードへの切り替え簡便となった。
【００１６】
請求項１０に記載の発明によれば、所定場所内におけるデモ用メモリカードの現在位置の検知が容易にできるようになった。
【００１７】
請求項１１に記載の発明によれば、デモ用メモリカードの現在位置が検知できないときは報知できるようになった。
【００１８】
請求項１２に記載の発明によれば、デモ用メモリカード管理システムが画像入出力機器を展示販売する店頭で適用できるようになった。
【００１９】
請求項１３に記載の発明によれば、デモンストレーションモード時の画像データの記録ができ、デモ用メモリカード管理システムに適用可能なデモ用メモリカードになった。
【００２０】
請求項１４に記載の発明によれば、デモ用メモリカードにデモプログラムが内蔵できるようになった。
【００２１】
請求項１５に記載の発明によれば、複数の画像入出力機器のプログラムを有することができるようになり、複数のデモ用メモリカードを準備する必要がなくなった。
【発明を実施するための最良の形態】
【００２２】
以下、本発明に係わる画像入出力機器、デモ用メモリカード、およびデモ用メモリカード管理システムについて説明する。
【００２３】
＜実施の形態１＞
実施の形態の画像入出力機器およびデモ用メモリカードについて説明する。
【００２４】
（画像入出力機器の構成説明）
図１は本発明の実施の形態に係る画像入出力機器であるデジタルカメラ１を正面側から見た概略外観斜視図であり、図２は本発明の実施の形態に係る画像入出力機器であるデジタルカメラ１を背面側から見た概略外観斜視図である。
【００２５】
図１に示すように、デジタルカメラ１は、その正面側に撮影レンズ２と光学ファインダー４とフラッシュ６とを備えており、その上面側に電源ボタン３とシャッタボタン（レリーズボタンともいう）９とマイク１２とを備えている。また、図２に示すように、デジタルカメラ１は、その背面側に液晶表示部（以下、ＬＣＤともいう）５とボタン群７、８とクイックレビューボタン（以下、ＱＶボタンともいう）１１とスピーカ１３とを備えている。
【００２６】
ボタン群７は十字カーソルボタン（ないしカーソルキー）７ａ〜７ｄを有しており、ボタン群８は実行ボタン８ａとメニューボタン８ｂとフラッシュモードボタン８ｃと液晶モニターボタン８ｄとを有している。さらに、図１および図２に示すように、デジタルカメラ１は、その側方の面に蓋１４とＤＣ入力端子１５とＵＳＢ端子１６とＡＶ出力端子１７とを備えている。
【００２７】
後述するように、デジタルカメラ１は、撮影レンズ２からの被写体像をＣＣＤ（撮像素子）２０（図４）によって光電変換することなどによって、被写体に関する画像データを取得する。また、電源ボタン３は、電源のオン操作およびオフ操作を受け付けるために用いられる。具体的には、電源ボタン３を押下するごとにオン状態への移行とオフ状態への移行とが交互に繰り返される。
【００２８】
シャッタボタン９はユーザ（操作者ともいう）による半押し状態（以下、状態Ｓ１という）と全押し状態（以下、状態Ｓ２ともいう）とを区別して検出可能な２段階押し込みスイッチとなっており、半押し状態Ｓ１のときに自動合焦制御を開始し、全押し状態Ｓ２のときに記録用画像を撮影するための本撮影動作を開始する。
【００２９】
ＬＣＤ５は、本撮影動作前のプレビュー表示（ライブビュー表示ともいう）及び記録画像の再生表示等を行う。このＬＣＤ５は、所定数（ここでは３２０×２４０）の表示画素有しており、カラー画像を表示することができる。
【００３０】
操作者は、ＬＣＤ５におけるライブビュー表示によって撮影画像における被写体の位置および大きさ等を知覚し、フレーミング動作を行うことができる。なお、ＬＣＤ５を用いることなく光学ファインダー４のみを用いてフレーミング動作を行うことも可能である。
【００３１】
また、ＱＶボタン１１は、デジタルカメラ１における複数の動作モード、具体的には、撮影モードと再生モードと切り替える機能を有している。後述するように、原則としてＱＶボタン１１が押下されるごとに、これら２つのモードが順次に且つ循環的に（サイクリックに）選択される。なお、後述するように、動作モードの変更に伴ってＬＣＤ５における表示画像も切り替わることから、ＱＶボタン１１は、ＬＣＤ５における表示画像を切り替える切替ボタンであるとも表現できる。
【００３２】
メニューボタン８ｂは、ＬＣＤ５へのメニューの表示および非表示を切り替える機能を有している。たとえば、各動作モードの初期画面においてメニューボタン８ｂが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行ボタン８ａを押下することによって、その選択肢に対応する設定動作等が実行される。このような操作によって、各種撮影パラメータの設定等を行うことが可能である。
【００３３】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００３４】
液晶モニターボタン８ｄは、液晶モニターの表示・非表示を切り替えるためのボタンである。液晶モニターボタン８ｄが押下されるごとに、液晶モニターに画像等が表示された状態（表示状態）と表示されない状態（非表示状態）とが交互に切り替わる。非表示状態にしておけば消費電力を低減できる。
【００３５】
また、マイク１２は、動画撮影、ボイスメモ、ボイスレコーディング、アフターレコーディング（アフレコ）時において、音声データを取得する（録音する）ために用いられる。スピーカ１３は、音声を出力する機能を有しており、音声データあるいは音声付き画像データ（静止画、動画）を再生するときなどに用いられる。
【００３６】
さらに、蓋１４は、電池室およびメモリカード装着部を覆う部分に設けられている。言い換えれば、蓋１４の内部側には、電源電池ＢＴを収容する電池室と着脱自在な記録媒体（可搬性記録媒体）であるメモリカード９０ａ、デモンストレーション時に用いられるデモ用メモリカード９０ｂを装着するメモリカード装着部とが設けられている。なお、蓋１４は磁界が妨げられないプラスチック材料が選択されており、デモ用メモリカード９０ｂがデジタルカメラに装填された状態で、磁界が妨げられることなく送受信可能になっている。
【００３７】
電源電池ＢＴ、メモリカード９０ａ、およびデモ用メモリカード９０ｂは、それぞれ、電池室およびメモリカード装着部に対して着脱自在に装着される。本撮影によって得られる画像データ等は、この挿入装着部にセットされるメモリカード９０ａに記録される。デモモードでの撮影によって得られる画像データ等は、この挿入装着部にセットされるデモ用メモリカード９０ｂに記録される。また、デジタルカメラ１は、電源電池ＢＴからの電力供給を受けることもできるし、ＤＣ入力端子１５を用いてＡＣアダプタ（不図示）等からの電力供給を受けることもできる。
【００３８】
ＵＳＢ端子１６は、パーソナルコンピュータ（パソコンともいう）等とのデータ通信を行うための端子である。ＵＳＢ端子１６にＵＳＢ規格のケーブル等を接続することによって外部機器（パソコン等）とのデータ通信を行うことができる。
【００３９】
ＡＶ出力端子１７は、テレビなどの外部映像音響機器（ＡＶ機器）に接続するための端子である。所定のＡＶコードをこのＡＶ出力端子１７と外部映像音響機器側の入力端子とを接続することによって、その外部映像音響機器に画像および／または音声を出力することができる。
【００４０】
次に、デモ用メモリカード９０ｂについて詳しく説明する。図３はデモ用メモリカードの平面図である。図３において、デモ用メモリカード９０ｂには情報記録手段であるＩＣタグＴＧが固着されている。デモ用メモリカード９０ｂは、デモプログラムを格納し、画像入出力機器であるデジタルカメラ１に対し着脱可能で、記録媒体に画像データが記録され、また、複数種類の画像入出力機器のデモモードのデモプログラムが記録されている。なお、記録媒体に固着されたＩＣタグは記録媒体を特定できるようになっているが詳しくは後述する。
【００４１】
次に、デジタルカメラ１の内部構成について図４を参照して説明する。図４はデジタルカメラ１の内部機能を示すブロック図である。
【００４２】
ＣＣＤ（撮像素子ともいう）２０は被写体像を撮影して電子的な画像信号を生成する撮像手段として機能するものであり、例えば１６００×１２００個の画素を有し、撮影レンズ２によって結像された被写体の光像を、画素毎にＲ（赤）、Ｇ（緑）、Ｂ（青）の色成分の画像信号（各画素で受光された画素信号の信号列からなる信号）に光電変換して出力する。
【００４３】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００４４】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、次述する画像処理部５１による、ＷＢ（ホワイトバランス）処理、γ補正処理、および色補正処理等が施された後、圧縮／伸張部５２による圧縮処理等が施される。また、マイク１２から得られる音声信号は、音声処理部５３に入力される。音声処理部５３入力された音声信号は音声処理部５３内に設けられたＡ／Ｄ変換器（不図示）によりデジタル信号に変換され、一時的にバッファメモリ５４に格納される。
【００４５】
操作部３０は、上述した電源ボタン３、ボタン群７、８、シャッタボタン９、ＱＶボタン１１等を含む操作部であり、ユーザがデジタルカメラ１の設定状態を変更操作する際や撮影操作を行う際等に用いられる。
【００４６】
電源４０は、デジタルカメラ１に対する電力供給源である。デジタルカメラ１は、リチウムイオン電池などの二次電池を電源電池ＢＴとして用いて駆動される。
【００４７】
制御手段５０は、内部にＲＡＭ５０ａ及びＲＯＭ５０ｂを備えたマイクロコンピュータによって構成され、マイクロコンピュータが所定のプログラムを実行することにより、上記各部を統括的に機能する。制御手段５０は、たとえば、ライブビュー表示処理、およびメモリカードへの記録処理などをも制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データおよび音声データを一時的に記憶する。ＲＯＭ５０６には、デジタルカメラ１の機種を識別するための識別コードが格納されている。
【００４８】
制御手段５０は、画像処理部５１、圧縮／伸張部５２、音声処理部５３を有している。これらの各処理部５１、５２、５３は、マイクロコンピュータが所定のプログラムを実行することにより実現される機能部である。
【００４９】
画像処理部５１は、ＷＢ処理、γ補正処理等の各種のデジタル画像処理を施す処理部である。ＷＢ処理は、Ｒ、Ｇ、Ｂの各色成分のレベル変換を行い、カラーバランスを調整する処理であり、γ補正処理は、画素データの階調を補正する処理である。圧縮／伸張部５２は、画像データの圧縮処理および伸張処理を行う処理部である。圧縮方式としては、例えばＪＰＥＧ方式などが採用される。音声処理部５３は、音声データに対する各種のデジタル処理を施す処理部である。
【００５０】
また、カードインタフェース（カードＩ／Ｆ）６０は、デジタルカメラ１側面の挿入装着部に対して装着されるメモリカード９０ａ、およびデモ用メモリカード９０ｂへの画像データの書込み及び読出しを行うためのインタフェースである。
【００５１】
メモリカード９０ａ、およびデモ用メモリカード９０ｂに対する画像データの読み書き時には、圧縮／伸張部５２において、例えばＪＰＥＧ方式で画像データの圧縮処理又は伸張処理が行われ、カードインタフェース６０を介して画像データがバッファメモリ５４とメモリカード９０ａ、デモ用メモリカード９０ｂとの間でやりとりされる。また、音声データの読み書き時においてもカードインタフェース６０を介して音声データがバッファメモリ５４とメモリカード９０ａ、デモ用メモリカード９０ｂとの間で送受信される。
【００５２】
さらに、デジタルカメラ１は、このカードインタフェース６０を用いて、画像および音声等のデータを取り扱うだけでなく、デジタルカメラ１で動作するプログラムを取り込むことも可能である。たとえば、デモ用メモリカード９０ｂに記録されるデモプログラムを、制御手段５０のＲＡＭ５０ａ又はＲＯＭ５０ｂ内に取り込むことができる。
【００５３】
また、ＵＳＢ端子１６などを介した外部機器（外部コンピュータなど）との通信によっても、画像あるいは音声などの各種のデータ、およびデモプログラムなどを送受信することが可能である。たとえば、外部コンピュータの読取装置（光学ドライブ装置等）にセットされた記録媒体（ＣＤ−Ｒ／ＲＷ、ＣＤ−ＲＯＭなど）に記録された各種のデータおよびプログラム等を、ＵＳＢ端子１６を介して取得することが可能である。
【００５４】
ここで、通常モードの撮影画像、およびデモモードの撮影画像とデモプログラムについて説明する。
【００５５】
（通常モードでの撮影画像）
図５はメモリカード９０ａ内のフォルダ構成を概念的に示す図である。図５に示すように、撮影画像のファイルは、ＤＣＦ（Ｄｅｓｉｇｎ  ｒｕｌｅ  ｆｏｒ  Ｃａｍｅｒａ  Ｆｉｌｅ  ｓｙｓｔｅｍ）の形式にしたがって作成されて記録される。ここでは、各撮影画像ファイルは、フォルダ「ＤＣＩＭ」に格納される。フォルダ「ＤＣＩＭ」は、ルートフォルダの下に作成されるフォルダである。以下、このフォルダ「ＤＣＩＭ」を「撮影画像フォルダ」（ないし「記録フォルダ」）ともいう。
【００５６】
各撮影画像ファイルの名称は、「Ｐｉｃｔ０００５．ｊｐｇ」などのように、先頭の８文字（Ｐｉｃｔ０００５）とそれに続くピリオド（．）と３文字の拡張子（ｊｐｇ）とで構成されている。先頭の８文字のうち、前半の４つのアルファベットは、種別（撮影画像等の撮影ファイル（後述）であること）を表しており、後半の４つの数字は撮影画像（撮影ファイル）の作成順に連続的に付与されるシリアル番号である。
【００５７】
したがって、デジタルカメラ１による撮影動作を繰り返すことによって、メモリカード９０ａ内には、「Ｐｉｃｔ０００１．ｊｐｇ」、「Ｐｉｃｔ０００２ｊｐｇ」、「Ｐｉｃｔ０００３．ｊｐｇ」、「Ｐｉｃｔ０００４．ｊｐｇ」、「Ｐｉｃｔ０００５．ｊｐｇ」、「Ｐｉｃｔ０００６ｊｐｇ」、．．．という名称のファイルがこの順序で作成されて格納される。
【００５８】
（デモモードでの撮影画像およびデモプログラム）
図６はデモ用メモリカード９０ｂ内のフォルダ構成を概念的に示す図である。図６に示すように、撮影画像のファイルは、ＤＣＦの形式にしたがって作成されて記録される。ここでは、各撮影画像ファイルは、前述の図５と同様のフォルダ「ＤＣＩＭ」に格納されるので詳しくは省略する。
【００５９】
また、各デモプログラムファイルは、フォルダ「ＤＥＭ」に格納される。フォルダ「ＤＥＭ」は、以下、「デモプログラムフォルダ」ともいう。
【００６０】
各デモプログラムファイルの名称は、「Ｄｅｍ０００１．ｐｒｇ」などのように、先頭の７文字（Ｄｅｍ０００１）とそれに続くピリオド（．）と３文字の拡張子（ｐｒｇ）とで構成されている。先頭の７文字のうち、前の３つのアルファベットは、デモンストレーションを表しており、後の４つの数字はプログラムに付与される番号である。なお、このデモ用メモリカードには、複数種類のデジタルカメラで使用可能とするために、カメラに応じて異なるプログラムが予め格納されている。後述するように、デジタルカメラは、デモモード時にプログラムファイルのヘッダを検出することで、それ自身に合致したデモ用プログラムを自動的に選択する構成となっている。
【００６１】
次に、画像ファイルの構成を概念的に説明する。図７は各画像ファイルの構成を概念的に示す図である。図７では、撮影画像ファイルの構成を示しているが、デモモードでの画像ファイルも同様の構成を有している。
【００６２】
各撮影画像ファイルは、所定形式（ここではＥｘｉｆ形式）のファイルとして作成される。具体的には、各撮影画像のファイルは、タグ情報ＴＧと、ＪＰＥＧ形式で圧縮された高解像度の画像データ（ここでは、１６００×１２００画素の画像信号）ＤＰと、サムネイル表示用の画像データ（ここでは、８０×６０画素の画像信号）ＤＭとを有している。このうち、タグ情報ＴＧには、「ファイル名」、「撮影日時」、「撮影に使用されたカメラのシリアルナンバー」、および「関連する音声ファイル」などの情報が含まれている。
【００６３】
また、各デモモードでの画像ファイルも、同様の形式（ここではＥｘｉｆ形式）のファイルとして作成される。各デモ画像のファイルは、同様に、タグ情報ＴＧと、ＪＰＥＧ形式で圧縮された高解像度の画像データＤＰと、サムネイル表示用の画像データＤＭとを有している。
【００６４】
また、各ファイルには、その属性ＡＴが定められている。具体的には、「読み取り専用属性（Ｒ）」、「アーカイブ属性（Ａ）」、「システムファイル属性（Ｓ）」、および「隠しファイル属性（Ｈ）」の４つの属性のいずれかが各ファイルに対して決定される。撮影画像に対しては、通常、「アーカイブ属性（Ａ）」および「読み取り専用属性（Ｒ）」のいずれかが付与される。「アーカイブ属性」が与えられたファイルに対しては、読出動作および書込動作の両方が許可されるが、「読み取り専用属性」が与えられたファイルに対しては、読出動作のみが許可され、書込動作が禁止される。
【００６５】
撮影画像ファイルには、撮影時点において「アーカイブ属性（Ａ）」が付与される。なお、このデジタルカメラ１では静止画像の撮影だけでなく、動画の撮影および音声の録音等を行うことも可能である。この明細書では、このような撮影動作等によって得られるデータファイルを「撮影ファイル（ないし記録ファイル）」と総称するものとする。撮影ファイルは、画像データおよび／または音声データを含むファイルであるとも表現される。
【００６６】
（通常モードの状態遷移の概略）
次に、通常モードおよびデモモードのそれぞれの状態遷移を概略を説明する。
【００６７】
図８は、デジタルカメラ１における通常モードの状態遷移図であり、ＬＣＤ５における表示状態を中心に示す図である。図８の角丸四角の中には、ＬＣＤ５における表示画面が示されている。図８を参照しながらデジタルカメラ１における通常モードにおける状態遷移の概要について説明する。
【００６８】
まず、電源ボタン３の押下に応答して電源がオン状態にされると、デジタルカメラ１は状態ＳＴ１０に移行する。状態ＳＴ１０においては、デジタルカメラ１は「撮影モード」に設定され、撮影のためのプレビュー画像であるライブビュー画像がＬＣＤ５に表示される。「撮影モード」は画像（動画、静止画）あるいは音声を、撮影あるいは録音するモードである。
【００６９】
また、デジタルカメラ１は、上述したように、「撮影モード」の他に、「再生モード」を有している。「再生モード」は撮影画像（および録音音声等）のファイルを再生するモードである。
【００７０】
これらのモードの切替には、ＱＶボタン１１が用いられる。原則として、ＱＶボタン１１が押下されるごとに、デジタルカメラ１は２つのモードに対して順次に且つ循環的に（サイクリックに）移行する。
【００７１】
以下では、このモード切替についてさらに詳細に説明する。
【００７２】
状態ＳＴ１０においてＱＶボタン１１が一度押下されると、メモリカード９０ａ内に撮影ファイルが保存（格納）されているか否かが判定される（状態ＳＴ２２）。
【００７３】
そして、メモリカード９０ａ内に撮影ファイルが１つでも記録されていれば状態ＳＴ２０に移行する。状態ＳＴ２０は、デジタルカメラ１が「再生モード」に設定され、ＬＣＤ５に撮影画像等の再生画像が表示されている状態である。状態ＳＴ２０に移行すると、直近に撮影された撮影画像等に関する再生画像がＬＣＤ５に最初に表示される。また、左右方向のキー７ｃまたは７ｄを押下するごとに、ＬＣＤ５での表示対象ファイルがその撮影順序での前方向あるいは後方向に順次に変更される。
【００７４】
一方、メモリカード９０ａ内に撮影ファイルが１つも記録されていない場合には状態ＳＴ２４に移行し、メモリカードに画像データが無い旨を表示する。
【００７５】
以上の動作によれば、撮影ファイルがメモリカード９０ａ内に記録されているときには、ＱＶボタン１１が押下されるごとに、これら２つのモード（「撮影モード」、「再生モード」）が順次に且つ循環的に（サイクリックに）選択される。そして、ＱＶボタン１１の押下に応答して、撮影モードにおけるライブビュー画像と、再生モードにおけるデータファイルに関する再生画像との間で表示画像が変更される。
【００７６】
つぎに、状態ＳＴ１０、ＳＴ２０からの更なる状態遷移について説明する。状態ＳＴ１０においてメニューボタン８ｂを押下すると状態ＳＴ１１へと移行し、再びメニューボタン８ｂを押下すると状態ＳＴ１０に戻る。状態ＳＴ１１は、撮影モード内のサブモードへの変更等を行うことが可能な状態であり、撮影種類等を設定するための「撮影メニュー」がＬＣＤ５に表示される。状態ＳＴ１１においては、ライブビュー画像が背景画像として表示されたまま、撮影メニュー画面の各項目がオーバーレイ表示される。
【００７７】
また、状態ＳＴ２０においてメニューボタン８ｂを押下すると状態ＳＴ２１へと移行し、再びメニューボタン８ｂを押下すると状態ＳＴ２０に戻る。状態ＳＴ２１は、再生モードでの各種の設定を行うことが可能な状態であり、各種の設定動作を行うためのメニュー画面である「再生メニュー」がＬＣＤ５に表示される。状態ＳＴ２１においては、撮影画像（再生画像）が背景画像として表示されたまま、再生メニュー画面の各項目がオーバーレイ表示される。
【００７８】
なお、デモンストレーションモードが設定されたときは、通常モードの記録画像を再生する再生手段を併用してデモ用メモリカードに書き込まれた画像データに基づいて再生可能であり、通常モードの再生手段が、デモンストレーションモードでも併用して使えるようになり、簡便となる。また。デモンストレーションモードが設定されたときは、通常モードの各種の設定を行う各種設定用手段を併用して各種設定が可能である。通常モードの各種設定用手段が、デモモードでも併用して使えるようになり簡便となる。
【００７９】
図８の状態ＳＴ１１における撮影メニュー画面Ｇ１などを用いた各種の設定操作によれば、撮影の種類を変更することなどが可能である。具体的には、メニュー画面Ｇ１の中から「単写」又は「連写」を選択すれば静止画像の撮影が可能であり、「動画」を選択すれば動画の撮影が可能である。また、音声の録音動作を行うことも可能である。たとえば、「ボイスメモ」を選択すれば、１枚の静止画像の撮影後の一定期間にわたって音声を記録することができる。また、「ボイスレコード」を選択すれば、静止画像の記録を伴うことなく、音声のみを録音することができる。
【００８０】
図８の状態ＳＴ２１における再生メニュー画面Ｇ２等を用いた各種設定操作によれば、撮影画像等に対する様々な設定動作を行うことが可能である。
【００８１】
例えば、「フォーマット」を選択すれば、フォーマットができる。
【００８２】
（デモモードの状態遷移の概略）
図９は、デジタルカメラ１におけるデモモードの状態遷移図であり、ＬＣＤ５における表示状態を中心に示す図である。図９の角丸四角の中には、ＬＣＤ５における表示画面が示されている。デモモードにおける状態遷移の概要について図９を参照して説明する。
【００８３】
まず、デモ用メモリカードを装着して電源ボタン３が押下され電源がオン状態にされると、デジタルカメラ１は状態ＳＴ３０に移行する。状態ＳＴ３０においては、デジタルカメラ１は「撮影モード」に設定され、撮影のためのプレビュー画像であるライブビュー画像がＬＣＤ５に表示される。「撮影モード」は画像（動画、静止画）あるいは音声を、撮影あるいは録音するモードである。なお、デモモード実行時には、常時画面の下部にデモモード実行中であることが表示される。
【００８４】
また、デジタルカメラ１は、上述したように、「撮影モード」の他に、「再生モード」を有している。「再生モード」は撮影画像（および録音音声等）のファイルを再生するモードである。これらのモードの切替には、ＱＶボタン１１が用いられる。原則として、ＱＶボタン１１が押下されるごとに、デジタルカメラ１は２つのモードに対して順次に且つ循環的に移行する。
【００８５】
以下では、このモード切替についてさらに詳細に説明する。状態ＳＴ３０においてＱＶボタン１１が一度押下されると、デモ用メモリカード９０ｂ内に撮影ファイルが保存（格納）されているか否かが判定される（状態ＳＴ４２）。
【００８６】
そして、デモ用メモリカード９０ｂ内に撮影ファイルが１つでも記録されていれば状態ＳＴ４０に移行する。状態ＳＴ４０は、デジタルカメラ１が「再生モード」に設定され、ＬＣＤ５に撮影画像等の再生画像が表示されている状態である。状態ＳＴ４０に移行すると、直近に撮影された撮影画像等に関する再生画像がＬＣＤ５に最初に表示される。また、左右方向のキー７ｃまたは７ｄを押下するごとに、ＬＣＤ５での表示対象ファイルがその撮影順序での前方向あるいは後方向に順次に変更される。
【００８７】
一方、デモ用メモリカード９０ｂ内に撮影ファイルが１つも記録されていない場合には状態ＳＴ４４に移行し、「メモリカードに画像がありません」という文字を表示して状態ＳＴ３０に戻る。デモ用メモリカード９０ｂ内に撮影ファイルは記録されていると判定される場合には、状態ＳＴ４４に移行することなくそのまま状態ＳＴ３０に復帰する。
【００８８】
以上の動作によれば、撮影ファイルがデモ用メモリカード９０ｂ内に記録されているときには、ＱＶボタン１１が押下されるごとに、これら２つのモード（「撮影モード」、「再生モード」）が順次に且つ循環的に選択される。そして、ＱＶボタン１１の押下に応答して、撮影モードにおけるライブビュー画像と、再生モードにおけるデータファイルに関する再生画像との間で表示画像が変更される。
【００８９】
つぎに、状態ＳＴ３０、ＳＴ４０からの更なる状態遷移について説明する。状態ＳＴ３０においてメニューボタン８ｂを押下すると状態ＳＴ３１へと移行し、再びメニューボタン８ｂを押下すると状態ＳＴ３０に戻る。状態ＳＴ３１は、撮影モード内のサブモードへの変更等を行うことが可能な状態であり、撮影種類等を設定するための「撮影メニュー」がＬＣＤ５に表示される。
【００９０】
また、状態ＳＴ４０においてメニューボタン８ｂを押下すると状態ＳＴ４１へと移行し、再びメニューボタン８ｂを押下すると状態ＳＴ４０に戻る。状態ＳＴ４１は、再生モードでの各種の設定を行うことが可能な状態であり、各種の設定動作を行うためのメニュー画面である「再生メニュー」がＬＣＤ５に表示される。
【００９１】
図９の状態ＳＴ３１における撮影メニュー画面Ｇ３などを用いた各種の設定操作によれば、撮影の種類を変更することなどが可能である。具体的には、メニュー画面Ｇ３の中から「単写」又は「連写」を選択すれば静止画像の撮影が可能であり、「動画」を選択すれば動画の撮影が可能である。また、音声の録音動作を行うことも可能である。たとえば、「ボイスメモ」を選択すれば、１枚の静止画像の撮影後の一定期間にわたって音声を記録することができる。また、「ボイスレコード」を選択すれば、静止画像の記録を伴うことなく、音声のみを録音することができる。
【００９２】
図９の状態ＳＴ４１における再生メニュー画面Ｇ４等を用いた各種設定操作によれば、撮影画像等に対する様々な設定動作を行うことが可能である。この設定メニュー画面を用いた各種の設定操作によれば、例えば、「データの一括削除」を選択すれば、デモモードで撮影した画像等が一括削除することができる。なお、この設定メニューには、フォーマットのメニューがなく、間違って、フォーマッとされてしまい、デモプログラムが消されてしまうのを防止できる。デモプログラムはプロテクトがかけられ、ファイルの属性が読み取り専用属性Ｒになっている。
【００９３】
メニュー画面の各項目の左端には、２つの種類の記号（具体的には、白い菱形、黒い菱形）のいずれかが表示される。菱形の記号は選択可能な項目であることを意味している。また、黒い菱形は現在選択されている項目を意味している。操作者が、上下方向のキー７ａまたは７ｂを用いて選択項目を変更し、所望の選択項目の記号が黒い菱形に変更された状態で、実行ボタン８ａを押下すると、その選択項目に対する動作（具体的には、更なるサブメニュー画面の表示）が実行される。
【００９４】
次に、メモリカード９０ａ内の撮影画像フォルダ内に格納されたファイル群の一例について説明する。図１０は通常モードにおけるメモリカード９０ａ内の撮影画像フォルダ内に格納されたファイル群の一例を示す図である。デモモードにおけるデモ用メモリカード９０ｂ内の撮影画像フォルダ内に格納されたファイル群も同様である。
【００９５】
（デモモードにおける動作説明）
次に、デジタルカメラのデモモード動作について例示して説明する。図１１はデモモードにおける一例の制御の流れを示すフローチャートである。説明は、撮影モードに設定して、さらに動画撮影を選択し、その後、再生モードに設定して、再生動画を表示させ、その後デモモードを終了させる場合の制御の流れについて説明する。
【００９６】
ステップＳＰ０１では、電源ボタン３により電源がオンされたことを検知する（図１参照）。
【００９７】
ステップＳＰ０２では、メモリカード９０ａまたはデモ用メモリカード９０ｂのメモリカードが装填されているかどうか判断し、装填されていればステップＳＰ０４に進み、装填されていなければステップＳＰ０３に進む。
【００９８】
ステップＳＰ０３では、警告処理を行うが詳しくは、次の図１２で説明する。
ステップＳＰ０４では、デモ用メモリカード９０ｂが装填されているかどうか判断し、装填されていればステップＳＰ０５に進み、装填されていなければデモモードとしての処理はここで終了し、通常モードとしての動作を行う。
【００９９】
ステップＳＰ０５では、デモプログラムが制御手段５０（図４）にロードされているか判断し、ロードされていれば、ステップＳＰ０８に進み、ロードされていなければステップＳＰ０６に進む。
【０１００】
ステップＳＰ０６では、デジタルカメラ１の制御手段５０が、複数あるデモ用プログラムのヘッダ部分を検出することで使用するデモプログラムを選択する。
ステップＳＰ０７では、デモ用メモリカードから選択されたデモプログラムがロードされる（図４参照）。
【０１０１】
ステップＳＰ０８では、ＱＶボタン１１のユーザー操作によって撮影モードが選択されたことを検知する（図１、図９参照）。
ステップＳＰ０９では、メニューボタン８ｂのユーザー操作によって「動画」が選択されたことを検知する（図１、図９参照）。
【０１０２】
ステップＳＰ１０では、ユーザーの試用によって得られた静止があるいは動画の画像データまたは音声データがデモ用メモリカード９０ｂに記録格納される（図１、図６、図１０参照）。
【０１０３】
ステップＳＰ１１では、ＱＶボタン１１のユーザー操作によって再生モードが選択されたことを検知する（図１、図９参照）。
【０１０４】
ステップＳＰ１２では、再生モードで、撮影画像をＬＣＤ５に表示する（図９参照）。
【０１０５】
ステップＳＰ１３では、ユーザー操作によって再生メニューの「データの一括削除」が選択された場合には、試用によって得られたデータを削除する（図９参照）。
【０１０６】
ステップＳＰ１４では、ユーザーの電源ボタン３の操作により電源がオフか判断し、電源オフが指示された場合（ＹＥＳ）はここで終了し、そうでない場合は（ＮＯ）は、ステップＳＰ０８に戻る。
【０１０７】
ここで、前述の警告処理（ステップＳＰ０３）についての詳細を説明する。図１２は図１１のフローチャートの警告処理に関する詳しい制御の流れを示すフローチャートである。図１２において、ステップＳＰ２１では、デモプログラムが制御手段５０（図４）の例えば、ＲＡＭにロードされているか判断し、ロードされていればステップＳＰ２２に進み、一方、ロードされていなければ、ステップＳＰ２３に進む。ステップＳＰ２２では、ＲＡＭからデモプログラムをアンロードする。ステップＳＰ２３では、「メモリカードがありません」という警告を表示する。以上の動作でデモモードの動作が完了する。
【０１０８】
なお、デモプログラムはプロテクトがかけられており消去されることはない。また、デモモードが終了時に、デモモードの画像データの削除有無にかかわらず、一括削除が強制的に行われるようになっている。
【０１０９】
以上の説明のように、画像入出力機器内の内蔵メモリは一般に記憶容量に制限され、限られたデモンストレーションしかできなかったが、前記内蔵メモリに比べ記憶容量が大きくできる着脱自在のデモ用メモリカードにデモンストレーション時の画像データを記録するので、例えば、記憶容量の大きいデモ用メモリカードを用いることにより、記憶容量を多く必要とする動画の撮影が可能となる。また、デモ用メモリカードに設けられたＩＣタグにより、デモ用メモリカードを外部より管理可能にすることができる。なお、デモ用メモリカードの管理については次の実施の形態２で説明する。
【０１１０】
＜実施の形態２＞
実施の形態のデモ用メモリカード管理システムについて説明する。デモ用メモリカード管理システムは、画像入出力機器に用いられるデモ用メモリカードの現在位置、盗難監視、使用状況の管理を行うシステムである。画像入出力機器を展示販売する店頭に適用した場合の一例について説明する。なお、この例に限定されるものではない。
【０１１１】
（デモ用メモリカード管理システムの構成）
最初に、デモ用メモリカード管理システムの全体構成を説明する。図１３は、画像入出力機器を展示販売する店頭に適用したデモ用メモリカード管理システムの全体構成を示す図である。図１３に示すように、店頭内は、展示販売場所８０ａと管理室８０ｂとに分かれている。展示販売場所８０ａには６台のデジタルカメラ１Ａ〜１Ｆが展示棚に展示されているものとする。展示販売場所８０ａには人が出入りするゲートＧが設けられている。また、管理室８０ｂには、管理機器の一部が設置されている。
【０１１２】
管理機器７０は、管理機器の本体である機器本体７１、各種操作に用いられるキーボード７２、管理状態をモニタ表示するディスプレイ７３、デモ用メモリカードの管理データが格納されてるデータベース７４、デモ用メモリカードが盗難にあった場合に警報するアラーム７５、ＩＣタグＴＧの内容を読み書きするリード／ライタ７８Ａから７８Ｉで構成されている。なお、リード／ライタ７８Ａから７８Ｉは、送受信の可能範囲はそれぞれエリアＥ１からＥ９となっている。
【０１１３】
次に、デモ用メモリカード管理システムの内部構成について説明する。図１４は、デモ用メモリカード管理システムの内部構成を示すブロック図である。
【０１１４】
図１４に示すように、内部構成は、各ブロックを制御する機器本体７１の制御手段７１ｅ、操作部７２ｅ、デモ用メモリカードに設けられた各ＩＣタグＴＧ、このＩＣタグと送受信するリードライタ７８Ａから７８Ｉ、外部メモリ７４ｅ、アラーム警告部７５ｅ、表示部７３ｅで構成されている。
【０１１５】
最初に、制御手段７１ｅは、マイクロコンピュータによって構成され、マイクロコンピュータが所定のプログラムを実行することにより、上記各部を統括的に機能する。制御手段７１ｅは、デモ用メモリカード９０ｂの店頭内における現在位置情報を検知する現在位置検知部７１１、デモ用メモリカード９０ｂの盗難監視を行う盗難監視部７１２、デモ用メモリカード９０ｂの使用状況を管理す使用状況管理部７１３、および、データの書き換えが可能な不揮発性の半導体メモリとして構成されるＲＡＭ７１４を備えている。
【０１１６】
また、操作部７２ｅは、キーボード７２を含む操作部であり、各種操作が入力される。
【０１１７】
また、外部メモリ７４ｅは、デモ用メモリカード９０ｂの管理データが格納されている。
【０１１８】
また、ＩＣタグＴＧは、デモ用メモリカード９０ｂＡから９０ｂＧ（まとめて９０ｂともいう）に設けられデモ用メモリカード９０ｂを特定する識別情報が記録されている。ＩＣタグＴＧは、アンテナＴＧａ、電源回路ＴＧｂ、送受信回路ＴＧｃ、制御回路ＴＧｄ、メモリＴＧｅにより構成される。アンテナＴＧａは、コイルアンテナを備え、リーダライタ７８から発信された電波信号を受信し、送受信回路ＴＧｃから入力された信号をリーダライタ７８に送信する。電源回路ＴＧｂは、アンテナＴＧａを介してリーダライタ７８から受信した電波を電力に変換し、ＩＣタグＴＧの各部への電源供給を行う。送受信回路ＴＧｃは、アンテナＴＧａを介してリーダライタ７８から受信した信号を復調、また制御回路ＴＧｄによりメモリＴＧｅから読み出された情報（信号）を変調増幅し、アンテナＴＧａに出力する。制御回路ＴＧｄは、送受信回路ＴＧｃからの入力信号に応じて、メモリＴＧｅへの書き込み（記録）動作を行う。また、制御回路ＴＧｄはメモリＴＧｅに記録された情報の読み出し動作を行い、読み出した情報（信号）の変調増幅を指示する信号を送受信回路ＴＧｃに出力する。メモリＴＧｅは、制御回路ＴＧｄによる書き込み動作により各種情報を記憶している。メモリＴＧｅにデモ用メモリカード９０ｂの識別情報が記録されている。なお、ＩＣタグＴＧに適用される通信方式（電磁誘導方式、マイクロ波方式等）は特に限定されない。なお、「ＩＣタグ」は、無線ＩＣチップ、無線チップ、非接触ＩＣチップ、無線ＩＣタグ、無線タグ、ＲＦＩＤタグ、および非接触ＩＣカード等と様々な呼び方があるがいずれのものであってもよい。
【０１１９】
また、リーダライタ７８Ａから７８Ｉは、アンテナ７８ａ、送受信回路７８ｂ、制御回路７８ｃ、Ｉ／Ｆ部７８ｄにより構成される。アンテナ７８ａは、ＩＣタグＴＧから送信された信号を受信する。また、アンテナ７８ａは、送受信回路７８ｂから入力された信号を、ＩＣタグＴＧに送信する。送受信回路７８ｂは、ＩＣタグＴＧからアンテナ７８ａを介して受信した信号を復調し、またＩＣタグＴＧに送信する信号を変調増幅し、アンテナ７８ａに出力する。制御回路７８ｃは、送受信回路７８ｂからの入力信号を管理機器７０に出力するための指示信号をＩ／Ｆ部７８ｄに出力する。また、制御回路７８ｃは、ＩＣタグＴＧに送信する信号の変調増幅を指示する信号を送受信回路７８ｂに出力する。Ｉ／Ｆ部７８ｄは、制御手段７１ｅとリーダライタ７８Ａから７８Ｉの間で通信を行うためのインターフェイスである。
【０１２０】
また、表示部７３ｅは、デモ用メモリカード９０ｂの管理状態を表示するが詳しくは後述する。
【０１２１】
さらに、アラーム警告部７５ｅは、デモ用メモリカード９０ｂが盗難にあった場合の警報を発するようになっている。
【０１２２】
次に、モニタ表示について説明する。図１５は、表示部７３ｅに表示されたデモ用メモリカード９０ｂの管理状況を示すモニタ画面Ｇ７である。図１５に示すように、モニタ画面Ｇ７は、店内におけるデモ用メモリカードの現在位置、盗難状況、使用状況等が一元化して表示される。
【０１２３】
モニタ画面Ｇ７は、左側に盗難警告表示、中央部に現在位置表示、右側に未使用表示がされるようになっている。先ず、盗難警告表示では、一例としてデモ用メモリカード９０ｂＦが盗難状況にあることを示している。また、現在位置表示では、デモ用メモリカード９０ｂＡから９０ｂＦが、それぞれエリアＥ１からＥ６にあることを示している。さらに、未使用表示では一例としてデモ用メモリカード９０ｂＧが未使用状態にあることを示している。
【０１２４】
（デモ用メモリカード管理システムの作用説明）
使用中のデモ用メモリカードの現在位置、盗難監視および使用状況の管理に関する作用についてそれぞれ説明する。
【０１２５】
最初に、使用中のデモ用メモリカードの現在位置の管理について説明する。図１６はデモ用メモリカードの現在位置の管理に関するフローチャートである。
【０１２６】
図１６において、ステップＳＰ３１では、常時、リーダライタ７８Ａ〜７８Ｆから、デモ用メモリカード９０ｂＡから９０ｂＦに備えられたＩＣタグＴＧに対し、それぞれのデモ用メモリカード識別情報（デモ用メモリカードＩＤともいう）を送るように指示を出す。
【０１２７】
ステップＳＰ３２では、デモ用メモリカード９０ｂＡから９０ｂＦに備えられたＩＣタグＴＧが前述の指示を受信する。
【０１２８】
ステップＳＰ３３では、それぞれのＩＣタグＴＧが、デモ用メモリカードＩＤをリーダライタ７８Ａ〜７８Ｆにそれぞれ送信する（図１３参照）。
【０１２９】
ステップＳＰ３４では、リーダライタ７８が最も近いＩＣタグよりデモ用メモリカードＩＤを受信する。即ち、例えば、図１３においてエリアＥ１にあるデモ用メモリカード９０ｂＡのＩＣタグＴＧからの信号は同じエリアＥ１にあるリードライタ７８Ａが受信する。同様にして、エリアＥ２からＥ６にあるデモ用メモリカード９０ｂＢから９０ｂＦのＩＣタグＴＧからの信号は、同じエリアＥ２からＥ６にあるリードライタ７８Ｂから７８Ｆがそれぞれ受信する。
【０１３０】
ステップＳＰ３５では、これらの受信情報に基づき、各デモ用メモリカード９０ｂＡから９０ｂＦの現在位置を特定する。
【０１３１】
ステップＳＰ３６では、特定した現在位置を表示部７４のモニタ画面に表示する（図１５参照）。なお、デモ用メモリカードの現在位置が分かるので、デモ用メモリカードの使い回しが簡易になる。
【０１３２】
次に、デモ用メモリカードの盗難監視の管理について説明する。
【０１３３】
図１７はデモ用メモリカードの盗難監視の制御の流れを示すフローチャートである。
【０１３４】
図１３、図１７に示すように、ステップＳＰ４１では、ゲートＧに設けたリーダライタ７８Ｈは、常時、デモ用メモリカード９０ｂがゲートＧを通過しないか監視しており、リードライタ７８Ｈがデモ用メモリカード９０ｂのＩＣタグＴＧを検知したならば、ステップＳＰ４２に進む。なお、検知されないならばステップＳＰ４１を繰り返す。
【０１３５】
ステップＳＰ４２では、ゲートＧに設けたリーダライタ７８Ｉは、常時、デモ用メモリカード９０ｂを監視しており、先に検知した同じデモ用メモリカード９０ｂのＩＣタグＴＧを検知したならば、ステップＳＰ４３に進み、デモ用メモリカード９０ｂがゲートＧを通り店内より外の持ち出されたことを示す盗難警告表示を出す（図１５参照）。
【０１３６】
さらに、未使用のデモ用メモリカードの管理について説明する。
【０１３７】
図１３に示すように、管理室８０ｂに設けたリーダライタ７８Ｇが常時、デモ用メモリカード９０ｂを監視しており、デモ用メモリカード９０ｂのＩＣタグＴＧを検知したならば、未使用であることを示す表示を出す。例では、未使用のデモ用メモリカード９０ｂＧを検知しモニタ画面に表示する。
【０１３８】
上記の説明のように、実施の形態のデモ用メモリカード管理システムによれば、デモ用メモリカードの所定場所内における現在位置の検知、デモ用メモリカードの盗難監視、未使用のデモ用メモリカードの検知等によるデモ用メモリカードの管理が確実にできるようになる。
【０１３９】
＜その他＞
以上、この発明の実施の形態について説明したが、この発明は上記説明した内容のものに限定されるものではない。実施の形態では、画像入出力機器として、撮像が可能な撮像機器であるデジタルカメラにいつて説明したが、例えば、着脱自在のメモリカードを用いるビデオカメラ、プリンタ、カメラ付携帯電話機でも同様である。
【０１４０】
また、実施の形態では、デモ用メモリカードの室内における現在位置の検知方法として、ＩＣタグのリードライタを室内に複数配置して検知する方法について説明したが、メモリカードに固着されたＩＣタグの無線信号をトリガーとして室内における今の現在位置を検知できるものであればよく、例えば、室内の天井に複数の無線基地局とメモリカードに固着したＩＣタグの間の無線信号を利用して３辺測量等を利用して、メモリカードの現在位置を検知するようにすることもできる。
【０１４１】
また、実施の形態では、デモ用メモリカードの盗難監視の方法として、室内のゲートにＩＣタグのリードライタを設けて監視する方法について説明したが、メモリカードに固着されたＩＣタグの無線信号をトリガーとして盗難監視できるものであればよく、例えば、室内の天井に複数の無線基地局と記録媒体に固着したＩＣタグの間の無線信号を利用して３辺測量等を利用して、デモ用メモリカードの現在位置が室内では検知でなくなった時点で、室外に持ち出されたことにより検知することもできる。
【図面の簡単な説明】
【０１４２】
【図１】本発明の実施の形態に係る画像入出力機器であるデジタルカメラ１を正面側から見た概略外観斜視図である。
【図２】本発明の実施の形態に係る画像入出力機器であるデジタルカメラ１を背面側から見た概略外観斜視図である。
【図３】デモ用メモリカードの平面図である。
【図４】デジタルカメラの内部構成を示すブロック図である。
【図５】メモリカード内のフォルダ構成を概念的に示す図である。
【図６】デモ用メモリカード内のフォルダ構成を概念的に示す図である。
【図７】各画像ファイルの構成を概念的に示す図である。
【図８】デジタルカメラ１における通常モードの状態遷移図である。
【図９】デジタルカメラ１におけるデモモードの状態遷移図である。
【図１０】通常モードにおけるメモリカード９０ａ内の撮影画像フォルダ内に格納されたファイル群の一例を示す図である。
【図１１】デモモードにおける一例の制御の流れを示すフローチャートである。
【図１２】図１１のフローチャートの警告処理に関する詳しい制御の流れを示すフローチャートである。
【図１３】画像入出力機器を展示販売する店頭に適用したデモ用メモリカード管理システムの全体構成を示す図である。
【図１４】デモ用メモリカード管理システムの内部構成を示すブロック図である。
【図１５】表示部７３ｅに表示されたデモ用メモリカード９０ｂの管理状況を示すモニタ画面Ｇ７である。
【図１６】デモ用メモリカードの現在位置の管理に関するフローチャートである。
【図１７】デモ用メモリカードの盗難監視の制御の流れを示すフローチャートである。
【符号の説明】
【０１４３】
１  デジタルカメラ（画像入出力機器）
３  電源ボタン
５  ＬＣＤ
８ａ  実行ボタン
８ｂ  メニューボタン
１１  ＱＶボタン
７０  管理機器
７１ｅ  制御手段
７１１  現在位置検知部
７１２  盗難監視部
７１３  使用状況管理部
７２ｅ  操作部
７３ｅ  表示部
７５ｅ  アラーム警告部
７８Ａ〜７８Ｉ  リードライタ
９０ａ  メモリカード
９０ｂ  デモ用メモリカード
ＴＧ  ＩＣタグ
１００  デモ用メモリカード管理システム
【図１】
2006339758.tif 000003
【図２】
2006339758.tif 000004
【図３】
2006339758.tif 000005
【図４】
2006339758.tif 000006
【図５】
2006339758.tif 000007
【図６】
2006339758.tif 000008
【図７】
2006339758.tif 000009
【図８】
2006339758.tif 000010
【図９】
2006339758.tif 000011
【図１０】
2006339758.tif 000012
【図１１】
2006339758.tif 000013
【図１２】
2006339758.tif 000014
【図１３】
2006339758.tif 000015
【図１４】
2006339758.tif 000016
【図１５】
2006339758.tif 000017
【図１６】
2006339758.tif 000018
【図１７】
2006339758.tif 000019